(57)【要約】【課題】患者等に恐怖心や苦痛を与えることを低減しつつ、簡便かつ簡単でありながら、確実に所定量の体液を採取する採取冶具を提供する。【解決手段】本発明の体液採取冶具は、板状の持ち手と、持ち手と接続される板状の採取部と、採取部の先端の端面に設けられる吸い口と、吸い口に連通すると共に所定の収容体積を有する収容部と、を備え、収容部は、採取部の内部に設けられ、収容部は、採取部の外周に沿った第１収容部と、第１収容部に囲まれた第２収容部と、を有し、第１収容部は、第１収容体積を有し、第２収容部は、第２収容体積を有する。【選択図】図１
2015150101.tif 000002
【特許請求の範囲】
【請求項１】
板状の持ち手と、
前記持ち手と接続される板状の採取部と、
前記採取部の先端の端面に設けられる吸い口と、
前記吸い口に連通すると共に所定の収容体積を有する収容部と、を備え、
前記収容部は、前記採取部の内部に設けられ、
前記収容部は、
前記採取部の外周に沿った第１収容部と、
前記第１収容部に囲まれた第２収容部と、を有し、
前記第１収容部は、第１収容体積を有し、前記第２収容部は、第２収容体積を有する、体液採取冶具。
【請求項２】
前記吸い口は、スリット状である、請求項１記載の体液採取冶具。
【請求項３】
前記採取部の先端は、テーパー部もしくは湾曲部を有し、左右の到達位置が異なる、請求項１または２記載の体液採取冶具。
【請求項４】
前記採取部の先端は、左右のいずれか一方に突出部を有する、請求項３記載の体液採取冶具。
【請求項５】
前記吸い口および前記収容部の内部表面は、親水性処理が施されている、請求項１から４のいずれか記載の体液採取冶具。
【請求項６】
前記吸い口から採取された体液は、前記第１収容部に浸透圧で収容され、
前記第１収容部は、透明もしくは半透明の部材で挟まれており、前記採取部の外部から、前記第１収容部に収容された前記体液を目視で確認可能である、請求項１から５のいずれか記載の体液採取冶具。
【請求項７】
前記第１収容部の外壁は、偏光特性を有する、請求項６記載の体液採取冶具。
【請求項８】
前記第２収容部は、前記第１収容部よりも内部空間の厚みが大きい、請求項１から７のいずれか記載の体液採取冶具。
【請求項９】
前記第２収容部は、前記吸い口から採取されて第１収容部に収容された体液が浸透圧で伝わることで、体液を収容する、請求項８記載の体液採取冶具。
【請求項１０】
前記第２収容部は、反射光および透過光の少なくとも一つを受けて、収容する体液の検査を受けることが可能である、請求項１から９のいずれか記載の体液採取冶具。
【請求項１１】
前記第１収容部の外壁と前記第２収容部の外壁とは、色味、透過率および偏光率の少なくとも一つで異なる、請求項１から１０のいずれか記載の体液採取冶具。
【請求項１２】
前記持ち手は、目盛りを有する、請求項１から１１のいずれか記載の体液採取冶具。
【請求項１３】
前記持ち手は、前記採取部との接合部において切断可能である、請求項１２記載の体液採取冶具。
【請求項１４】
前記採取部を収容する開口部を有する容器と、前記開口部を封止する蓋を更に備える、請求項１から１３のいずれか記載の体液詐取冶具。
【請求項１５】
前記容器は、前記収容部に収容されている体液を希釈する希釈液を収容する、請求項１４記載の体液採取冶具。
【請求項１６】
前記蓋および前記容器の少なくとも一方は、前記採取部の側面を固定する溝状のストッパーを備える、請求項１４または１５記載の体液採取冶具。
【請求項１７】
前記蓋は、前記容器内部の希釈された希釈体液を滴下可能な排出口を備え、前記排出口は、前記容器に圧力が加えられることで前記希釈体液を排出可能である、請求項１４から１６のいずれか記載の体液採取冶具。
【発明の詳細な説明】
【技術分野】
【０００１】
本発明は、血液を始めとした生物の体液を簡単かつ正確に採取できる体液採取冶具に関する。
【背景技術】
【０００２】
人体を始めとした生物の健康状態を把握したり、病気等の検査を行ったりするために、血液などの体液を採取して検査することが行われている。採取された体液は、分離されて種々の成分量が検査されたり、種々の試薬などによって健康状態や病気状態が検査されたりする。この検査においては、採取された体液の量が所定の量であることが必要であることが多い。例えば、体液中の成分を分離して検査する場合には、採取された体液との体積や重量での比較が行われる必要があることもある。この場合には、採取された体液の体積や重量が正確に所定量であることが必要である。
【０００３】
例えば、採取された体液の体積や重量がばらばらであると、検査対象の体液サンプルによっては、検査された成分の比率が不正確になってしまい、正しい検査が行われなくなってしまう。例えば、体液中の赤血球やヘモグロビンの割合を算出する際に、体液量がばらついていると、正確な割合が算出できない。
【０００４】
加えて、採取された体液に種々の試薬が用いられて検査される場合には、採取された体液が所定の濃度に希釈される必要がある。この希釈においては希釈液が用いられ、体液に希釈液が混合されることで所定濃度に希釈される。この希釈においても、採取された体液の体積や重量が所定量であることが、所定濃度への希釈への必要条件である。
【０００５】
例えば、採取された体液の体積や重量がばらばらであると、希釈される所定濃度がばらばらになってしまうこともある。希釈された濃度がばらばらであると、使用される試薬による反応などが不正確になってしまい、病気等の検査が正確に行われなくなってしまう問題もある。
【０００６】
このように、採取された体液を検査して健康状態の把握や病気の検査などを行う場合には、所定量の体液が正確に採取されることが必要である。一方で、体液が採取される対象である人体や生物は、当然に個体差を有しており、所定量の体液採取が簡単ではない問題もある。
【０００７】
このような状況で、体液を採取するいくつかの技術が提案されている（例えば、特許文献１、特許文献２、特許文献３参照）。
【先行技術文献】
【特許文献】
【０００８】
【特許文献１】特開２０１０−５１３９７号公報
【特許文献２】特開２００８−２７９０３１号公報
【特許文献３】特開２００８−１５４７０２号公報
【発明の概要】
【発明が解決しようとする課題】
【０００９】
特許文献１は、検査に用いる血液を採取、貯留する容器本体部と、容器本体部２に血液を流入する血液流入ポートと、血液流入ポートと容器本体部との間に設けられ、容器本体部に貯留された血液を流出する血液流出ポートとを備え、容器本体部は、血液流入ポートから血液が流入する管状通路を有し、管状通路の末端には疎水性フィルタを有する掃き手段が設けられている検査用血液容器を、開示する。
【００１０】
しかしながら、特許文献１に開示される検査用血液容器は、非常に大掛かりな装置であって、コストはもちろんのこと採取作業も手間を要する。また、装置が大掛かりであることは、体液の採取を受ける患者に恐怖心を与える問題もある。もちろん、採取を実施する作業者にとっても作業ミスを生じさせてしまう可能性もある。
【００１１】
特許文献２は、毛細管現象により血液を吸引する採血管および、指を押し当てるための互いに離隔した一対のガイドが設けてあり、ガイドを通じて押し当てた指の腹を目視できるように構成してあると共に、採血管の先端部に開口した血液吸引口がガイド間に位置づけてある採血具を開示する。
【００１２】
しかしながら、特許文献２に開示される採血具は、図に示されるように指の腹に刺す針状の吸引口を用いる。針状の吸引口を用いることは、採取される患者等に痛みや苦痛を強いる問題がある。このような痛みや苦痛は、所定量の採取においても、ミスを生じさせる問題に繋がる。もちろん、恐怖心を生じさせる問題もある。
【００１３】
加えて、特許文献２に開示される採血具は所定量を採血することを目的としているが、血液の採取が確実に行われたかを、作業者がその場で視認することが困難である。このため、目的とする所定量の採取が確実に行われたかが確認できず、所定量になっていない場合の検査における問題を生じさせる。
【００１４】
特許文献３は、一端に開口を有する採血管本体と血液導入口、およびその血液導入口と採血管本体とを連通する血液流路を有する蓋部材と、を具備し、採血管本体が減圧吸引作用により血液導入口から血液を吸引する減圧採血室、および血液を希釈する試薬を収容する試薬収容室を有し、蓋部材が血液流路から所定量の血液を採取して、試薬収容室内に導入する定量採取部を有する定量採血管を開示する。
【００１５】
しかしながら、特許文献３に開示される採血管は、特許文献２と同様に、針状の部材を人体に刺すことで血液を採取する。針状の吸引口を用いることは、採取される患者等に痛みや苦痛を強いる問題がある。このような痛みや苦痛は、所定量の採取においても、ミスを生じさせる問題に繋がる。もちろん、恐怖心を生じさせる問題もある。
【００１６】
また、減圧容器などの専門の容器も必要となり、装置も大掛かりとなる問題がある。数１００ｃｃの量の血液採取の場合には、特許文献３に開示される採血管は適当であるが、検査内容によっては、採取される体液は少なくて済む場合も多い。このように少ない量の体液採取で済む場合にも、特許文献３に開示される採血管が用いられることは、患者への負担が大きい。もちろん、作業者の負担も大きい。
【００１７】
また、近年では、検査方法や検査装置が進歩しており、様々な検査が少量の体液で実施できるようになっている。加えて、採取される患者が自ら体液を採取して検査機関に提出する検査方法も進んでいる。このような場合には、少量の体液を簡単でかつ苦痛を少なくしつつ、正確に所定量が採取できることが好ましい。
【００１８】
しかしながら、特許文献３の技術では、このような作業者自身による採取作業や少量の体液の採取には適していない問題を有している。
【００１９】
このように特許文献１〜３に代表される従来技術は、次のような問題を有していた。
【００２０】
（問題１）採取用具や装置が大掛かりであり、製造コストに加えて採取コストも高くなる問題があった。
【００２１】
（問題２）採取に際して人体等に針状部材を刺す必要があり、患者等に恐怖心や苦痛を与える問題があった。この問題により、検査を必要としている患者等が、体液の採取に積極的に対応しないことになってしまい、病気の発見が遅れるなどの問題もあった。
【００２２】
（問題３）装置が大掛かりであったり、針を刺す必要があったりすることで、作業者の手間や負担が大きい問題もあった。
【００２３】
（問題４）少ない所定量の体液を簡易かつ簡便に採取することが困難である問題があった。
【００２４】
（問題５）採取冶具において確実に体液が採取されているかを、採取作業を行う場で即座に確認することが難しい問題があった。
【００２５】
本発明は、これらの問題を解決し、患者等に恐怖心や苦痛を与えることを低減しつつ、簡便かつ簡単でありながら、確実に所定量の体液を採取する採取冶具を提供することを目的とする。
【課題を解決するための手段】
【００２６】
上記課題に鑑み、本発明の体液採取冶具は、板状の持ち手と、
持ち手と接続される板状の採取部と、
採取部の先端の端面に設けられる吸い口と、
吸い口に連通すると共に所定の収容体積を有する収容部と、を備え、
収容部は、採取部の内部に設けられ、
収容部は、
採取部の外周に沿った第１収容部と、
第１収容部に囲まれた第２収容部と、を有し、
第１収容部は、第１収容体積を有し、第２収容部は、第２収容体積を有する。
【発明の効果】
【００２７】
本発明の体液採取冶具は、簡便な構成でありながら正確に所定量の体液を採取できる。また、簡便な構成であることで、製造コストおよび採取コストも低減できる。
【００２８】
また、針状部材を患者等に刺すことをしないので、患者に対して恐怖心を与えたり苦痛を与えたりすることが少ない。この結果、患者自身で体液を採取できたり、作業者による採取でも手間を削減できたりする。この結果、病気の早期発見などに繋がるメリットも生じる。
【００２９】
更に、少量の体液を所定量採取した上で、採取状態をその場で目視にて確認できる。この目視による確認が可能であることで、採取後のやり直しなどの不便が減少できる。もちろん、検査に必要な所定量が採取されることで、多めに採取された体液を更に計量するなどの手間も省かれて、検査全体の手間とコストを低減できる。
【図面の簡単な説明】
【００３０】
【図１】本発明の実施の形態１における体液採取冶具の平面図である。
【図２】本発明の実施の形態１における体液採取冶具の正面図である。
【図３】本発明の実施の形態１における体液採取冶具の平面図である。
【図４】本発明の実施の形態１における体液採取冶具の平面図である。
【図５】本発明の実施の形態２における体液採取冶具の斜視図である。
【図６】本発明の実施の形態２における第１態様採取冶具の斜視図である。
【図７】本発明の実施の形態２における容器の斜視図である。
【図８】本発明の実施の形態２における第１態様採取冶具を収容した容器の斜視図である。
【図９】本発明の実施の形態２における希釈体液を滴下させる作業の模式図である。
【発明を実施するための形態】
【００３１】
本発明の第１の発明に係る体液採取冶具は、板状の持ち手と、持ち手と接続される板状の採取部と、採取部の先端の端面に設けられる吸い口と、吸い口に連通すると共に所定の収容体積を有する収容部と、を備え、収容部は、採取部の内部に設けられ、収容部は、採取部の外周に沿った第１収容部と、第１収容部に囲まれた第２収容部と、を有し、第１収容部は、第１収容体積を有し、第２収容部は、第２収容体積を有する。
【００３２】
この構成により、体液採取冶具は、所定の収容体積に対応する体液を、確実に採取できる。また、注射針などを使う場合に比較して、簡便にできるので、患者に苦痛を与えることが少ない。
【００３３】
本発明の第２の発明に係る体液採取冶具では、第１の発明に加えて、吸い口は、スリット状である。
【００３４】
この構成により、体液採取冶具は、吸い口の浸透圧で、簡単かつ確実に体液を吸い上げることができる。
【００３５】
本発明の第３の発明に係る体液採取冶具では、第１または第２の発明に加えて、採取部の先端は、テーパー部もしくは湾曲部を有し、左右の到達位置が異なる。
【００３６】
この構成により、吸い口が、人体や器具にあてがいやすくなる。加えて、吸い口による浸透圧が、より効率的に機能できる。
【００３７】
本発明の第４の発明に係る体液採取冶具では、第３の発明に加えて、採取部の先端は、左右のいずれか一方に突出部を有する。
【００３８】
この構成により、吸い口は、より確実に体液を吸い上げることができる。
【００３９】
本発明の第５の発明に係る体液採取冶具では、第１から第４のいずれかの発明に加えて、吸い口および収容部の内部表面は、親水性処理が施されている。
【００４０】
この構成により、吸い口および収容部は、確実に体液を吸い上げることができる。加えて、吸い口と収容部が、体液の吸い上げにおいて連動できる。
【００４１】
本発明の第６の発明に係る体液採取冶具では、第１から第５のいずれかの発明に加えて、吸い口から採取された体液は、第１収容部に浸透圧で収容され、第１収容部は、透明もしくは半透明の部材で挟まれており、採取部の外部から、第１収容部に収容された体液を目視で確認可能である。
【００４２】
この構成により、第１収容部は、体液の収容を作業者に示すことができる。
【００４３】
本発明の第７の発明に係る体液採取冶具では、第６の発明に加えて、第１収容部の外壁は、偏光特性を有する。
【００４４】
この構成により、第１収容部は、内部に体液を収容していることを、容易かつ確実に作業者に示すことができる。
【００４５】
本発明の第８の発明に係る体液採取冶具では、第１から第７のいずれかの発明に加えて、第２収容部は、第１収容部よりも内部空間の厚みが大きい。
【００４６】
この構成により、第１収容部から第２収容部への体液の吸い上げがスムーズに行われる。
【００４７】
本発明の第９の発明に係る体液採取冶具では、第８の発明に加えて、第２収容部は、吸い口から採取されて第１収容部に収容された体液が浸透圧で伝わることで、体液を収容する。
【００４８】
この構成により、連続的に体液を吸い上げて採取できる。
【００４９】
本発明の第１０の発明に係る体液採取冶具では、第１から第９のいずれかの発明に加えて、第２収容部は、反射光および透過光の少なくとも一つを受けて、収容する体液の検査を受けることが可能である。
【００５０】
この構成により、体液採取冶具は、採取だけでなく、簡便な検査にも用いることができる。
【００５１】
本発明の第１１の発明に係る体液採取冶具では、第１から第１０のいずれかの発明に加えて、第１収容部の外壁と第２収容部の外壁とは、色味、透過率および偏光率の少なくとも一つで異なる。
【００５２】
この構成により、第１収容部と第２収容部とで、独立して体液の収容の確認が行える。
【００５３】
本発明の第１２の発明に係る体液採取冶具では、第１から第１１のいずれかの発明に加えて、持ち手は、目盛りを有する。
【００５４】
この構成により、作業者は、作業を容易にできる。
【００５５】
本発明の第１３の発明に係る体液採取冶具では、第１２の発明に加えて、持ち手は、採取部との接合部において切断可能である。
【００５６】
この構成により、採取部のみを、次のステップで使用することが可能である。
【００５７】
本発明の第１４の発明に係る体液採取冶具では、第１から第１３のいずれかの発明に加えて、採取部を収容する開口部を有する容器と、開口部を封止する蓋を更に備える。
【００５８】
この構成により、採取部を保管したり次の検査工程に移行させたりできる。
【００５９】
本発明の第１５の発明に係る体液採取冶具では、第１４の発明に加えて、容器は、収容部に収容されている体液を希釈する希釈液を収容する。
【００６０】
この構成により、希釈体液を容易に得ることができ、採取された体液が、次の検査に使用される。
【００６１】
本発明の第１６の発明に係る体液採取冶具では、第１４または第１５の発明に加えて、蓋および容器の少なくとも一方は、採取部の側面を固定する溝状のストッパーを備える。
【００６２】
この構成により、採取部を、容器内部で固定できる。
【００６３】
本発明の第１７の発明に係る体液採取冶具では、第１４から第１６のいずれかの発明に加えて、蓋は、容器内部の希釈された希釈体液を滴下可能な排出口を備え、排出口は、容器に圧力が加えられることで希釈体液を排出可能である。
【００６４】
この構成により、希釈された希釈体液を、検査に必要な装置に滴下できる。
【００６５】
（実施の形態１）
【００６６】
実施の形態１について説明する。
【００６７】
（全体概要）
まず、実施の形態１における体液採取冶具の全体概要を、図１、図２を用いて説明する。図１は、本発明の実施の形態１における体液採取冶具の平面図である。図２は、本発明の実施の形態１における体液採取冶具の正面図である。図２は、図１に示される体液採取冶具１の吸い口４側から見た状態を示している。
【００６８】
体液採取冶具１は、持ち手２、採取部３、吸い口４、収容部５を備える。持ち手２は、板状の部材である。採取部３は、持ち手２と接続され、持ち手２と同様に板状部材である。採取部３は、持ち手２と一体となっている。吸い口４は、採取部３の先端に設けられる。収容部５は、吸い口４に連通すると共に、採取部３内部に所定の収容体積を有する。
【００６９】
図１に示されるように、体液採取冶具１は、根元から先端に向けた板状の冶具である。持ち手２および採取部３が、体液採取冶具１の外形を形成する。この外形は、図１、図２に示されるように、持ち手２および採取部３が薄い板状部材であることで、薄い板状である。また、体液採取冶具１は、根元が持ち手２であり、先端が吸い口４である。
【００７０】
吸い口４は、図２に示されるように、採取部３の先端の隙間によって形成される。例えば、吸い口４は、スリット状であることが好適である。スリット状のような狭い隙間であることで、吸い口４は、浸透圧で吸い口４の先端にあてがわれた体液を吸い上げることができる。
【００７１】
例えば、人体や生物の体液が漏出している外皮に吸い口４が押し当てられる。あるいは、人体や生物から何らかの方法で取り出して容器に収容されている体液に吸い口４が押し当てられる。この押し当てによって、吸い口４は、浸透圧を用いて体液を吸い上げる。
【００７２】
収容部５は、吸い口４に連通して採取部３の内部に形成される。このため、吸い口４から吸い上げられた体液が、収容部５に充填される。この吸い上げと充填によって、収容部５は、所定の収容体積に相当する体液を収容できる。このように体液採取冶具１は、吸い口４での吸い上げおよび吸い上げの後の収容部５での収容によって、定められた収容体積での体液を、確実に採取できる。
【００７３】
ここで、収容部５は、図２に示されるスリット状の吸い口４に連通している。このため、収容部５も狭い幅の空間である。この結果、吸い口４が吸い上げた体液は、収容部５全体を充填する。すなわち、収容部５は、収容体積に相当する体液を、確実に採取できる。
【００７４】
収容部５は、採取部４の外周に沿った第１収容部６と第１収容部６に囲まれる第２収容部７を有する。第１収容部６は、第１収容体積を有し、第２収容部７は、第２収容体積を有する。すなわち、第１収容体積と第２収容体積の合算が、収容部５の収容体積になる。
【００７５】
収容部５が、第１収容部６と第２収容部７とに分割されていることで、作業者は、収容部５での体液の収容を確認しやすいメリットがある。例えば、第１収容部６の可視特性と第２収容部７の可視特性が異なる。それぞれの可視特性が異なると、作業者は、第１収容部６と第２収容部７とのそれぞれでの収容状態を確認できる。この確認の結果、収容部５が、収容体積での体液を確実に採取しているかが確認できる。
【００７６】
また、第１収容部６と第２収容部７とに分割されていることで、体液採取冶具１で採取された状態だけで、体液に基づく一定の検査を行う事もできる。
【００７７】
以上のように、体液採取冶具１は、所定の収容体積での体液を正確に採取できると共に、様々なバリエーションでの検査などを実現できる。
【００７８】
次に各部の詳細について説明する。
【００７９】
（持ち手）
持ち手２は、作業者が体液採取冶具１を用いて体液を採取する際に、把持される部分である。体液採取冶具１は、人体や体液が採取されたビーカーなどにあてがわれて用いられる。このため、体液採取冶具１は、小型である。このため、作業者にとって取り扱いやすさを生じさせるために、持ち手２が備わっている。
【００８０】
持ち手２は、薄い板状の部材である。また、持ち手２の先に接続される採取部３にあわせた板状であることが好適である。このような形態であることで、作業者は、持ち手２を把持して、体液採取冶具１を容易に取り扱うことができる。
【００８１】
また、持ち手２は、体液採取冶具１全体と同じく樹脂製であることも好適である。樹脂製であることで、コストも低くなり、取り扱いも容易となるからである。また、収容部５の可視性が高まり、体液採取の状況を確認しやすいからである。
【００８２】
持ち手２の一部は、作業者が指で把持しやすいように、凹みを有していることも適当である。
【００８３】
また、持ち手２は、目盛りを有していることも好適である。目盛りを有することで、体液採取冶具１が他の検査装置に用いられる際に、作業精度を上げることができるからである。
【００８４】
（採取部）
採取部３は、先端の吸い口４と吸い口４に連通して内部に形成される収容部５を備える。この吸い口４と収容部５とによって、採取部３は、体液を採取できる。
【００８５】
採取部３は、吸い口４となっている先端を、人体などにあてがう。このとき、吸い口４の浸透圧によって、体液を吸い上げる。このため、採取部３の先端は、テーパー部もしくは湾曲部を有することも好ましい。テーパー部もしくは湾曲部（両方を有してもよい）を有することで、採取部３の先端は、左右での到達位置が異なる。図１は、この左右の到達位置が異なる状態を示している。
【００８６】
テーパー部や湾曲部によって、採取部３の先端での左右の到達位置が異なることで、吸い口４における体液の吸い上げが容易となる。
【００８７】
吸い口４は、浸透圧で体液を吸い上げる。左右の到達位置が異なると、採取部３の先端は、左右いずれか一方に突出部３１を有することになる。この突出部３１が存在することで、人体などへあてがいやすくなる。特に、突出部３１が狭い面積で人体などと接触することで、吸い口４の吸い上げる力が高まる。
【００８８】
あるいは、作業者は、突出部３１をまず人体などにあてがい、その後先端のテーパー部や湾曲部を順に人体などに押し当てていくことで、吸い口４による吸い上げをよりスムーズにできる。
【００８９】
吸い口４は、浸透圧による体液の吸い上げを確実にするために、親水処理を施されていることも好適である。親水処理が施されていることで、狭い隙間による物理的な浸透圧と相まって、吸い口４は、より高い吸い上げを行える。
【００９０】
（収容部）
収容部５は、吸い口４と連通して採取部３の内部空間に形成される。収容部５は、採取部３が薄い板状部材であり、吸い口４がこの薄い板状部材の先端のスリットであることで、収容部５も薄い幅の空間である。
【００９１】
この薄い幅の空間であって吸い口４に連通していることで、収容部５も、浸透圧を有する。吸い口４と収容部５との浸透圧の連続により、吸い口４が吸い上げた体液は、そのまま収容部５に入り込む。この連続作用により、収容部５は、吸い口４から体液を採取して収容できる。
【００９２】
ここで、吸い口４と同様に、収容部５の内部表面も親水処理されていることが好適である。収容部５による体液の採取がより確実となるからである。
【００９３】
収容部５は、所定の収容体積を有する。この収容体積は、体液採取冶具１で採取された体液が、検査される際に必要となる量に対応する。所定の収容体積を有することで、体液採取冶具１は、必要な採取量を確実に採取できる。体液採取冶具１の別にかかわらず、採取のたびに同じ採取量を採取できるので、検査におけるばらつきやミスが生じることもない。
【００９４】
収容部５の収容体積は、体液採取冶具１の使用目的によって、適宜変更されても良い。また、異なる収容体積の収容部５を有する異なる体液採取冶具１が用意されてもよい。
【００９５】
収容部５は、第１収容部６と第２収容部７とを有する。第１収容部６は、採取部３であって収容部５の外周に沿って設けられる。すなわち、第１収容部６は、吸い口４に連通している。一方、第２収容部７は、第１収容部６に囲まれている。第２収容部７は、吸い口４と連通していない。
【００９６】
吸い口４が吸い上げた体液は、浸透圧で、第１収容部６に収容される。ここで、第１収容部６は、透明もしくは半透明の部材で挟まれている。例えば、採取部３において、第１収容部６に対応する部分が透明もしくは半透明であれば、第１収容部６は、透明もしくは半透明になる。
【００９７】
この形態により、第１収容部６に収容された体液は、目視で外部から確認可能である。第１収容部６に体液が収容されていることが目視で確認可能であることで、収容部５が第１収容体積に相当する体積以上の体液を収容していることが、作業者によって確認できる。例えば、体液採取冶具１が、第１収容体積以上の体液の採取を必要とする場合には、この第１収容部６の目視によって、必要量が採取されていることが確認できる。
【００９８】
また、第１収容部６の外壁は、偏光特性を有することも好適である。偏光特性を有することで、第１収容部６は、内部に体液を収容していることを確実に示すことができる。図３は、本発明の実施の形態１における体液採取冶具の平面図である。
【００９９】
図３に示されるように、第１収容部６が体液を収容している場合には、第１収容部６の偏光特性によって、収容状態が分かる。例えば、体液の色味が少ない場合でも、第１収容部６の外壁が偏光特性を有することで、図３に示されるように、第１収容部６の外壁の色味が変わる。この色味の変化によって、第１収容部６が、確実に第１収容体積での体液を収容していることが分かる。
【０１００】
作業者は、体液採取冶具１を用いた体液の採取において、まず第１収容部６の目視のみで、第１収容体積の採取が行われたことを確認できる。
【０１０１】
第２収容部７は、第１収容部６を外部とする位置に備えられる。第１収容部６と共に第２収容部７は、収容部５を形成する。第２収容部７は第２収容体積を有し、第２収容体積での体液を収容できる。
【０１０２】
（第１収容部から第２収容部への体液移動容易性）
収容部５が、第１収容部６と第２収容部７とに分かれていることで、同じ収容部５に収容された体液を、第１収容部６と第２収容部７とに分けて収容できる。この分割した収容は、吸い口４を通じた収容での容易性を高めるメリットを有する。
【０１０３】
第２収容部７は、第１収容部６よりも内部空間の厚みが大きいことも好適である。まず、吸い口４から吸い上げられた体液は、吸い口４から第１収容部６にかけた浸透圧で第１収容部６に収容される。次いで、第１収容部６に収容された体液は、第１収容部６から第２収容部７へ、浸透圧で移動して収容される。特に、第２収容部７の内部空間の厚みが、第１収容部６の内部空間の厚みより大きいことで、第１収容部６から第２収容部７への浸透圧が生じやすい。
【０１０４】
採取部５は、吸い口４、第１収容部６、第２収容部７の順になっている。このとき、収容部５全体が単一の構造であるよりも、第１収容部６と第２収容部７とに分割された上で、厚みも異なることで、浸透圧の連続性が保たれて、採取部５は、確実に体液を採取できる。
【０１０５】
収容部５が第１収容部６および第２収容部７に分割されていることで、同じ収容体積であっても、より確実に体液を採取できる。また、分割による段階的な浸透圧での吸い上げにより、より多くの収容体積にも対応できる。これは、吸い口４を基準とすると、まず第１収容部６が存在し、次いで第２収容部７が存在するとの構成に基づくメリットである。
【０１０６】
（異なる目的の実現）
更に、分割した収容によって、第１収容部６の体液と第２収容部７の体液とを、異なる検査に用いることのできるメリットもある。例えば、体液採取冶具１のみで簡便な検査を行う場合に、第１収容部６と第２収容部７で、異なる検査を行うことができる。
【０１０７】
あるいは、第１収容部６は、体液採取が確実に行われたことを確認させることができ、第２収容部７は、反射光や透過光を当てることで、簡便な検査を行わせることができる。このように、収容部５が、第１収容部６と第２収容部７とに分割されていることで、採取確認と簡易検査との両方を行うことができる。
【０１０８】
体液採取冶具１は、吸い口４が人体や器具にあてがわれることで、体液を採取する。このとき、第１収容部６は、体液採取の状態を確認することを行える。例えば、上述のように、第１収容部６の外壁が偏光特性を有することで、第１収容部６が体液を収容している状態が目視で確認できる。
【０１０９】
このため、第１収容部６の第１収容体積は、体液採取冶具１が採取した体液を、他の検査装置に適用するのに必要最小限であることが適当である。目視で確認可能な第１収容部６が体液を収容している限り、第１収容体積の体液が採取されていることが保証される。
【０１１０】
これに対して、第２収容部７は、反射光および透過光の少なくとも一つを受けて、収容する体液の検査を行うことも可能である。この検査が可能であることで、採取された体液を他の検査装置に適用する前に、簡便な検査を行うことができる。ここで、第２収容部７がこのような簡便な検査を行うことに用いられる場合には、簡便な検査に必要となる量の体液に合わせて、第２収容部７の第２収容体積が決定されればよい。
【０１１１】
すなわち、第２収容部７は、第２収容部７での反射光や透過光による検査に必要となる第２収容体積を持つように形成されれば良い。
【０１１２】
もちろん、第２収容部７も、透明もしくは半透明の外壁であることも好適である。この形態により、第２収容部７が体液を収容していることを、目視で確認できる。加えて、第２収容部７の外壁も、偏光特性を有していてもよい。偏光特性を有することで、第２収容部７が、体液を収容していることを、目視で確認できる。
【０１１３】
このとき、第１収容部６の外壁と第２収容部７の外壁とは、色味、透過率および偏光率の少なくとも一つで異なることも好適である。これらが異なることで、作業者は、目視で第１収容部６での体液の収容と第２収容部７での体液の収容とを確認できる。図４は、本発明の実施の形態１における体液採取冶具の平面図である。
【０１１４】
図４に示される体液採取冶具１では、第２収容部７に体液が収容されており、第２収容部７の外壁が、第１収容部６の外壁と異なる色味となっている。透過率や偏光特性が異なることで、体液が収容されている場合に、第１収容部６と第２収容部７とで、見た目の色味が異なる。このように見た目の色味が異なることで、作業者は、第１収容部６での収容と第２収容部７での収容を区別して確認できる。
【０１１５】
この状況に基づいて、作業者は、第１収容部６での収容による第１収容体積の体液採取を確認すると共に、第２収容部７による第２収容体積の体液採取を確認できる。すなわち、収容部５全体の収容体積での体液採取を、段階的かつ全体として確認できる。
【０１１６】
加えて、第２収容部７での反射光や透過光を用いた検査も行うことができる。このとき、図４に示されるように、第２収容部７での外壁の色味が異なることで、第２収容部７が確実に体液を収容していることが確認できる。
【０１１７】
以上のように、収容部５が第１収容部６と第２収容部７とに分割されていることで、収容部５全体での体液の吸い上げ・収容が容易になり、更に第１収容部６と第２収容部７とで異なる作業を行う事もできる。
【０１１８】
以上、実施の形態１における体液採取冶具１は、第１収容部６と第２収容部７を用いて、収容体積での確実な体液の採取を行える。加えて、第１収容部６と第２収容部７とによって、異なる目的を実行できる。この結果、体液採取冶具１は、体液を採取するだけでなく、確実な量の採取および簡便な検査などまでをカバーできる。
【０１１９】
（実施の形態２）
【０１２０】
次に、実施の形態２について説明する。
【０１２１】
実施の形態２では、実施の形態１で説明した体液採取冶具１を収容する容器との一体での体液採取冶具を説明する。
【０１２２】
図５は、本発明の実施の形態２における体液採取冶具の斜視図である。体液採取冶具１００は、実施の形態１で説明した体液採取冶具１（以下、実施の形態２では、「第１態様採取冶具１」という）に加えて、採取部３を収容して開口部２１を有する容器２０と、開口部２１を閉じる蓋３０を備える。また、蓋３０を開口部２１に固定するための固定具４０も備える。
【０１２３】
このように、実施の形態２の体液採取冶具１００は、実施の形態１で説明した第１態様採取冶具１において体液を採取して収容する採取部３を、収容して種々の検査の前工程を実行できる。
【０１２４】
容器２０は、開口部２１を有しており、第１態様採取冶具１を内部空間に挿入させることができる。図６は、本発明の実施の形態２における第１態様採取冶具の斜視図である。第１態様採取冶具１は、実施の形態１で説明した通り、持ち手２と採取部３とを有している。収容部５などは、実施の形態１で説明した通りである。
【０１２５】
なお、図５〜図８では、採取部３全体に色が付与されている状態で示されているが、第１収容部６や第２収容部７は、実施の形態１で説明した通り、透明もしくは半透明であってもよい。色が付与されて示されているのは、図示の便宜上である。
【０１２６】
図６に示される第１態様採取冶具１は、体液採取を終えた後で、容器２０の開口部２１から挿入される。開口部２１および内部空間は、採取部３の幅に対応する内径を有している。この内径によって、容器２０は、内部空間に採取部３を収容できる。
【０１２７】
図７は、本発明の実施の形態２における容器の斜視図である。容器２０は、開口部２１を有しており、この開口部２１を通じて、採取部３を挿入させることができる。
【０１２８】
また、容器２０の長さは、採取部３の長さよりも大きいことが適当である。この状態であることで、図８に示されるように、採取部３が容器２０の内部空間に収容できる。図８は、本発明の実施の形態２における第１態様採取冶具を収容した容器の斜視図である。
【０１２９】
作業手順は、次の通りである。
【０１３０】
作業者は、実施の形態１で説明したように、第１態様採取冶具１を用いて体液を採取する。この結果、採取部３の収容部５には、体液が収容された状態である。次いで、作業者は、容器２０の開口部２１から第１態様採取冶具１を挿入する。このとき、採取部３を容器２０の内部空間２２に挿入するように、作業者は、第１態様採取冶具１を挿入する。
【０１３１】
容器２０の内部空間２２に採取部３が挿入されたところで、作業者は、採取部３と持ち手２とを切離す。ここで、持ち手２は、採取部３との接合部において切断可能である。例えば、接合部は薄く折り曲げ可能になっている。あるいは切れ込みを有している。このような形態により、作業者は、容易に持ち手２を採取部３から切り離すことができる。
【０１３２】
持ち手２が採取部３と切断されると、容器２０の内部空間２２には、採取部３のみが残る。その後、作業者は、固定具４０を開口部２１にはめ込んだ上で、蓋３０で開口部２１を閉じる。こうして、図８に示されるように、容器２０内部に採取部３が残った状態となる。
【０１３３】
実施の形態２における体液採取冶具１００は、体液を収容する採取部３を容器２０に保管できる。この保管により、採取した体液を別の検査装置で検査することに用いることができる。
【０１３４】
あるいは、容器２０は、採取部３の収容部５に収容されている体液を希釈する希釈液を収容していることも好適である。希釈液が収容されていることで、収容部５に収容されている体液は、希釈液によって希釈された状態で、容器２０の内部空間に吐き出される。この吐き出しにより、体液が溶け出した希釈液が、容器２０内部に収容されることになる。すなわち、容器２０は、希釈体液を収容する状態となる。
【０１３５】
蓋３０は、先端に希釈体液を滴下可能な排出口３１を備えることも好適である。排出口３１が、下向きとなるように、体液採取冶具１００が逆さまにされる。これは、図９に示されるとおりである。図９は、本発明の実施の形態２における希釈体液を滴下させる作業の模式図である。
【０１３６】
容器２０の内部空間２２には、希釈体液が収容されている。この状態で、例えば検査用のガラス片５０に排出口３１を対向させる。作業者は、容器２０を把持した状態で、例えば指や手で握ることで圧力を加えることができる。容器２０は、圧力を内部に伝えることのできる柔軟性を有している。容器２０は、この圧力を受けて、内部空間２２に収容する希釈体液を、排出口３１から滴下できる。
【０１３７】
排出口３１は、希釈体液の滴６０を滴下できる。滴下された滴６０は、ガラス片５０の表面に到達して、液体溜まり６１を形成できる。作業者は、この液体黙り６１を有するガラス片５０を様々な検査装置に設置することで、希釈体液を用いた様々な検査を実行できる。
【０１３８】
希釈体液は、様々な検査を行うことができる体液濃度であることが適当であるので、希釈液は体液を収容する収容部５の収容体積と体液濃度にあわせた量であることが適当である。このあわせた量の希釈液が、容器２０に収容されていることが適当である。希釈液は、採取部３が収容される前に装入されても良いし、採取部３が収容された後で装入されても良い。
【０１３９】
このように、実施の形態２における体液採取冶具１００は、採取した体液を保管したり、次の検査工程に適切に受け渡したりすることができる。
【０１４０】
また、蓋３０および容器２０の少なくとも一方は、採取部３の側面を固定する溝状のストッパーを備えることも好適である。このストッパーによって、容器２０の内部空間２２において、採取部３が固定される。固定されることで、内部空間２２で、採取部３が固定されて、保管も希釈体液の生成も容易となる。
【０１４１】
以上、実施の形態１〜２で説明された体液採取冶具は、本発明の趣旨を説明する一例であり、本発明の趣旨を逸脱しない範囲での変形や改造を含む。
【符号の説明】
【０１４２】
１    体液採取冶具
２    持ち手
３    採取部
４    吸い口
５    収容部
６    第１収容部
７    第２収容部
２０    容器
２１    開口部
２２    内部空間
３０    蓋
３１    排出口
４０    固定具
１００    体液採取冶具
【図１】
2015150101.tif 000003
【図２】
2015150101.tif 000004
【図３】
2015150101.tif 000005
【図４】
2015150101.tif 000006
【図５】
2015150101.tif 000007
【図６】
2015150101.tif 000008
【図７】
2015150101.tif 000009
【図８】
2015150101.tif 000010
【図９】
2015150101.tif 000011